(57)【要約】【課題】積み重ねられた多数の収納ケースの中から所望の１枚を容易に検索可能な情報担体収納ケースを提供する。【解決手段】情報担体収納ケース１を、プラスチックの成形体をもって表面板２と底面板３と側板４とを有する箱状に形成し、側面には図示しない情報担体の出入口５を開口する。また、底面板３上の１の角部には凸部６を形成すると共に、表面板２の凸部６の形成位置と対応する部分には凸部６を回転自在に嵌入可能な凹部７を形成する。【選択図】図４
2005251327.tif 000002
【特許請求の範囲】
【請求項１】
プラスチックをもって箱状に形成され、片面の一部に凸部が形成されると共に他の片面の前記凸部の形成位置と対応する位置に前記凸部を回転自在に嵌入可能な凹部が形成され、前記凸部を前記凹部内に嵌入することによって複数個を密着状態で積み重ねることができ、かつ複数個が密着状態で積み重ねられているときに前記凸部と前記凹部の嵌入部を支点として相互に面方向に回転できるようになっていることを特徴とする情報担体収納ケース。
【請求項２】
前記凸部の形成面又は前記凹部の形成面のうちのいずれかに第２凸部が形成され、かつ他の面に当該第２凸部を摺動自在に嵌入可能な円弧状の案内溝が形成されていることを特徴とする請求項１に記載の情報担体収納ケース。
【発明の詳細な説明】
【技術分野】
【０００１】
本発明は、光ディスク、光磁気ディスク、磁気ディスク、メモリカード又はカセットテープなどの可搬型の情報担体を収納して、これら情報担体の取り扱いを容易かつ便利なものにするための情報担体収納ケースに関する。
【背景技術】
【０００２】
従来より、販売時における搬送や展示及び購入後における保存や携帯等を容易かつ便利なものにし、情報担体の塵埃等による汚損や機械的衝撃による破壊を防止するため、情報担体は「プラケース」と呼称されるプラスチック製のケースに収納して販売され、また使用される場合が多い。
【０００３】
従来より、この種の情報担体収納ケースとしては、単なる箱状のものが一般的に用いられているが、複数の収納ケース入りの情報担体を積み重ねて取り扱う際の荷くずれを防止するため、片面の一部に凸部が形成されると共に他の片面の凸部形成位置と対応する位置に凸部を嵌入可能な凹部が形成され、凸部を凹部内に嵌入することによって複数個を密着状態で積み重ねることができ、かつ複数個が密着状態で積み重ねられているときに相互に面方向に滑らないようにしたものが提案されている（特許文献１参照。）。
【０００４】
この情報担体収納ケースによれば、複数の収納ケース入りの情報担体を積み重ねた場合にも、各収納ケース間の滑りが防止されるので、陳列棚や保存棚からの情報担体の落下を防止することができ、機械的衝撃による情報担体の破壊を未然に防止することができる。また、積み重ねられた情報担体が散乱しにくいので、商品である情報担体の陳列を容易かつ安定なものにすることができると共に、特別な保存箱や保存ラックに収納する必要性も解消され、保存や使用を便利なものにすることができる。
【特許文献１】特開平９−３０１４７２号公報
【発明の開示】
【発明が解決しようとする課題】
【０００５】
しかるに、前記した従来の情報担体収納ケースは、積み重ねられた複数の情報担体収納ケースが相互に面方向に滑らない構成であるので、記録済みの情報担体が収納された多数の収納ケースが積み重ねられている場合において、所望とする１枚の情報担体が収納された収納ケースを迅速に検索することが難しく、この点において使用が不便であるという問題がある。
【０００６】
即ち、情報が記録された情報担体の保存は、情報担体を収納するカートリッジケースに貼付されたラベル及び情報担体収納ケースに添付されたラベルに情報担体に記憶された情報の内容を記載した状態で行われるが、近年のように情報担体が薄形化しかつ記録容量が膨大なものになると、カートリッジケース及び情報担体収納ケースの端面にラベルを表示することはほとんど不可能であり、ラベルはカートリッジケース及び情報担体収納ケースの表裏面に表示される。したがって、前記従来例に係る情報担体収納ケースのように積み重ねられた複数の情報担体収納ケースが相互に面方向に滑らない構成であると、多数の情報担体収納ケースの中から所望の１枚を取り出そうとする場合に、情報担体収納ケースを１枚ずつ持ち上げながら確認作業をしなくてはならず、検索に多大の時間が必要になる。
【０００７】
本発明は、かかる従来技術の不備を解決するためになされたものであり、その目的は、積み重ねられた多数の収納ケースの中から所望の１枚を容易に検索可能な情報担体収納ケースを提供することにある。
【課題を解決するための手段】
【０００８】
本発明は、前記の課題を解決するため、情報担体収納ケースを、プラスチックをもって箱状に形成され、片面の一部に凸部が形成されると共に他の片面の前記凸部の形成位置と対応する位置に前記凸部を回転自在に嵌入可能な凹部が形成され、前記凸部を前記凹部内に嵌入することによって複数個を密着状態で積み重ねることができ、かつ複数個が密着状態で積み重ねられているときに前記凸部と前記凹部の嵌入部を支点として相互に面方向に回転できるようになっているという構成にした。
【０００９】
このように、複数の情報担体収納ケースが密着状態で積み重ねられているときに各情報担体収納ケースが凸部と凹部の嵌入部を支点として相互に面方向に回転できるようになっていると、複数の情報担体収納ケースを扇形に広げることによって一度に多数の情報担体の記録内容を確認することができるので、所望の１枚の検索を極めて容易なものにすることができ、情報担体収納ケースの実用性を高めることができる。
【００１０】
また、本発明は、前記構成の情報担体収納ケースにおいて、前記凸部の形成面又は前記凹部の形成面のうちのいずれかに第２凸部が形成され、かつ他の面に当該第２凸部を摺動自在に嵌入可能な円弧状の案内溝が形成されているという構成にした。
【００１１】
このように、情報担体収納ケースの表裏面に第２凸部及びこれを摺動自在に嵌入可能な円弧状の案内溝を形成すると、互いに積み重ねられた情報担体収納ケースを相互にずらしても凸部と凹部とが脱落しにくくなり、複数の情報担体収納ケースを扇形に広げやすくなるので、所望の１枚の検索をより容易なものにすることができる。
【発明の効果】
【００１２】
本発明の情報担体収納ケースは、複数の情報担体収納ケースが密着状態で積み重ねられているときに各情報担体収納ケースが凸部と凹部の嵌入部を支点として相互に面方向に回転できるようになっているので、複数の情報担体収納ケースを扇形に広げることによって一度に多数の情報担体の記録内容を確認することができ、所望の１枚の検索を極めて容易なものにすることができて、情報担体収納ケースの実用性を高めることができる。
【発明を実施するための最良の形態】
【００１３】
以下、本発明に係る情報担体収納ケースの第１実施形態を図１乃至図４に基づいて説明する。図１は第１実施形態例に係る情報担体収納ケースの平面図、図２は実施形態例に係る情報担体収納ケースに形成される凸部及び凹部の形状を例示する断面図、図３は複数の情報担体収納ケースの積み重ね状態を示す斜視図、図４は情報担体収納ケースの検索時の状態を示す平面図である。
【００１４】
図１乃至図３に示すように、本例の情報担体収納ケース１は、プラスチックの成形体をもって表面板２と底面板３と側板４とを有する箱状に形成されており、側面には図示しない情報担体の出入口５が開口されている。また、底面板３上の１の角部には凸部６が形成されており、表面板２の凸部６の形成位置と対応する部分には凸部６を回転自在に嵌入可能な凹部７が形成されている。
【００１５】
凸部６及び凹部７の断面形状は、情報担体収納ケース１の製造を容易にするため、図２（ａ）に示すようにストレート形状にすることもできるし、凹部７への凸部６の嵌入を容易にするため、図２（ｂ）に示すようにテーパ形状にすることもできる。また、凹部７への凸部６の嵌入をより容易なものにするため、図２（ｃ）に示すように凹部７の上端部に面取り７ａを形成することもできる。さらには、凹部７からの凸部６の脱落を防止するため、図２（ｄ）に示すように凸部６の先端部に係合部６ａを設けると共に、凹部７の下端部に係合部６ａを係合可能な係合段部７ｂを形成することもできる。
【００１６】
本例の情報担体収納ケース１は、図３に示すように、一方の情報担体収納ケース１に形成された凸部６を他方の情報担体収納ケース１に形成された凹部７内に嵌入することにより、複数の情報担体収納ケース１を互いに密着状態で上下に積み重ねることができる。かように、本例の情報担体収納ケース１は、一方の情報担体収納ケース１に形成された凸部６を他方の情報担体収納ケース１に形成された凹部７内に嵌入することにより、各収納ケース１間の滑りが抑制されるので、従来例に係る情報担体収納ケースと同様に、陳列棚や保存棚からの情報担体の落下を防止することができ、機械的衝撃による情報担体の破壊を未然に防止することができる。また、積み重ねられた情報担体を散乱しにくくすることができるので、商品である情報担体の陳列を容易かつ安定なものにすることができると共に、特別な保存箱や保存ラックに収納する必要性も解消され、保存や使用を便利なものにすることができる。
【００１７】
また、本例の情報担体収納ケース１は、凹部７に対して凸部６が回転自在に嵌入できるようになっているので、複数個が積み重ねられている状態において、凸部６と凹部７の嵌入部を支点として相互に面方向に回転すると、図４に示すように、各情報担体収納ケース１を扇形に広げることができる。よって、複数枚の情報担体収納ケース１について、情報担体収納ケース１の表裏面に添付されたラベルの表示又は情報担体収納ケース１の表裏面を透過して目視される情報担体の表裏面に添付されたラベルの表示を見ることによって一度に多数の情報担体の記録内容を確認することができるので、所望の１枚の検索を極めて容易なものにすることができ、情報担体収納ケースの実用性を高めることができる。
【００１８】
次に、本発明に係る情報担体収納ケースの第２実施形態を図５乃至図７に基づいて説明する。図５は第２実施形態例に係る情報担体収納ケースの底面図、図６は図５のＢ−Ｂ部断面図、図７は複数の情報担体収納ケースの積み重ね状態を示す斜視図である。
【００１９】
図５乃至図７に示すように、本例の情報担体収納ケース１１は、底面板３の凸部６が形成された角部に隣接する他の角部に第２凸部１２を形成すると共に、凸部６と凹部７の嵌入部を中心として互いに重ね合わされた複数の本例の情報担体収納ケース１１を互いに面方向に回転したときにおける表面板２の前記第２凸部１２の移動経路に対応する部分に、前記第２凸部１２を摺動自在に嵌入可能な円弧状の案内溝１３を形成してなる。その他の部分については前記第１実施形態例と同じであるので、対応する部分に同一の符号を表示して説明を省略する。
【００２０】
本例の情報担体収納ケース１１は、表裏面に第２凸部１２とこれを摺動自在に嵌入可能な円弧状の案内溝１３とを形成したので、互いに積み重ねられた情報担体収納ケースを相互にずらしたときに凸部６と凹部７とが脱落しにくくなり、複数の情報担体収納ケース１１を扇形に広げやすくなって、所望の情報担体収納ケース１１の検索をより容易なものにすることができる。
【００２１】
次に、本発明に係る情報担体収納ケースの第３実施形態を図８乃至図１０に基づいて説明する。図８は第３実施形態例に係る情報担体収納ケースの底面図、図９は図８のＣ−Ｃ部断面図、図１０は複数の情報担体収納ケースの積み重ね状態を示す斜視図である。
【００２２】
図８乃至図１０に示すように、本例の情報担体収納ケース２１は、底面板３の凸部６が形成された角部に隣接する他の角部に第２凸部１２を形成し、凸部６と凹部７の嵌入部を中心として互いに重ね合わされた複数の本例の情報担体収納ケース２１を互いに面方向に回転したときにおける表面板２の前記第２凸部１２の移動経路に対応する部分に、前記第２凸部１２を摺動自在に嵌入可能な円弧状の案内溝１３を形成すると共に、底面板３の中心を介して凸部６が形成された角部と点対称の位置にある角部に第３凸部２２を形成し、凸部６と凹部７の嵌入部を中心として互いに重ね合わされた複数の本例の情報担体収納ケース２１を互いに面方向に回転したときにおける表面板２の前記第３凸部２２の移動経路に対応する部分に、前記第３凸部２２を摺動自在に嵌入可能な円弧状の第２案内溝２３を形成してなる。その他の部分については前記第１実施形態例及び前記第１実施形態例と同じであるので、対応する部分に同一の符号を表示して説明を省略する。
【００２３】
本例の情報担体収納ケース２１は、表裏面に第２凸部１２とこれを摺動自在に嵌入可能な円弧状の案内溝１３及び第３凸部２２とこれを摺動自在に嵌入可能な円弧状の第２案内溝２３とを形成したので、互いに積み重ねられた情報担体収納ケースを相互にずらしたときの安定性がより良好になり、複数の情報担体収納ケース２１を扇形に広げやすくなって、所望の情報担体収納ケース１１の検索をより容易なものにすることができる。
【図面の簡単な説明】
【００２４】
【図１】第１実施形態例に係る情報担体収納ケースの底面図である。
【図２】実施形態例に係る情報担体収納ケースに形成される凸部及び凹部の形状を例示する断面図である。
【図３】複数の情報担体収納ケースの積み重ね状態を示す斜視図である。
【図４】情報担体収納ケースの検索時の状態を示す平面図である。
【図５】第２実施形態例に係る情報担体収納ケースの底面図である。
【図６】図５のＢ−Ｂ部断面図である。
【図７】複数の情報担体収納ケースの積み重ね状態を示す斜視図である。
【図８】第３実施形態例に係る情報担体収納ケースの底面図である。
【図９】図８のＣ−Ｃ部断面図である。
【図１０】複数の情報担体収納ケースの積み重ね状態を示す斜視図である。
【符号の説明】
【００２５】
１，１１，２１    情報担体収納ケース
２    表面板
３    底面板
４    側板
５    情報担体の出入口
６    凸部
７    凹部
１２    第２凸部
１３    案内溝
２２    第３凸部
２３    第２案内溝
【図１】
2005251327.tif 000003
【図２】
2005251327.tif 000004
【図３】
2005251327.tif 000005
【図４】
2005251327.tif 000006
【図５】
2005251327.tif 000007
【図６】
2005251327.tif 000008
【図７】
2005251327.tif 000009
【図８】
2005251327.tif 000010
【図９】
2005251327.tif 000011
【図１０】
2005251327.tif 000012